(57)【要約】      （修正有）【課題】２体型の保持器の中央部の内周面に凹部を設けることにより、案内輪のサイズ拡大が可能となる。案内輪を半径方向に大きくすることで、ころ端面を案内輪側面内で接触（摺動）させることにより、ころ端面と案内輪とのエッジ摩耗を防止する自動調心ころ軸受を提供する。【解決手段】自動調心ころ軸受１は、外輪３と内輪２との間に２列の球面ころ４が２体型の保持器５を介して周方向に転動可能に配置されており、２列の球面ころ４の間には案内輪６を配置し、前記球面ころ４の端面を前記案内輪６の側面６aで案内しており、前記保持器中央部の内周面に凹部５aを設け、前記凹部５a内に前記案内輪６aの外周部を入れた。【選択図】図１
2015048877.tif 000002
【特許請求の範囲】
【請求項１】
外輪と内輪との間に2列の球面ころが２体型の保持器を介して周方向に転動可能に配置されており、2列の球面ころの間には案内輪を配置した自動調心ころ軸受において、前記球面ころの端面を前記案内輪の側面で案内しており、前記保持器の軸方向中央部の内周面に凹部を設け、前記凹部内に前記案内輪の外周部を入れたことを特徴とする自動調心ころ軸受。
【発明の詳細な説明】
【技術分野】
【０００１】
この発明は、例えば、製紙機械用、製鋼用等の各種ロールネック軸受、大型車両用や各種産業機械用の軸受等として使用される、自動調心ころ軸受の改良に関する。
【背景技術】
【０００２】
例えば重量の嵩む軸をハウジングの内側に回転自在に支承する為に、従来から、自動調心ころ軸受が使用されている。この様な自動調心ころ軸受について、図４により、簡単に説明する。自動調心ころ軸受１は、外輪３と内輪２との間に2列の球面ころ４が保持器５を介して周方向に転動可能に配置されており、2列の球面ころ４の間には案内輪６を配置し、球面ころ端面４ａを案内輪の側面６ａで案内するものがある。この場合、図５に示したように、互いに接触する球面ころ端面４ａと案内輪側面６ａとの間に高い接触面圧で摺接するが、案内輪と球面ころの接触点Ｅが案内輪のエッジ６ｃと一致した場合、異常な摩耗が発生するという問題がある。
【０００３】
それに対して、先行技術の自動調心ころ軸受には、特許文献１に示されているものがある。その構成は、案内輪の側面の案内面と逃げ面との境界部やころ端面の外周エッジ部を丸めたものである。上記構成により、接触境界領域における局部的な高い接触面圧の発生をなくし、これらの接触境界領域における摩耗を防止できるようにしている。一方、ころ端面の形状を凸面状の湾曲形状にし、案内輪側面とのの摩耗を防止する構造としては、特許文献２に示されているものがある。その構成は、球面ころ端面の形状を凸面状の湾曲形状にし、案内輪側面に点接触させることで摩耗を防止できるようにしている。
【先行技術文献】
【特許文献】
【０００４】
【特許文献１】特開２００７−１００９３４号公報
【特許文献２】特表２００１−５１７７５９号公報
【発明の概要】
【発明が解決しようとする課題】
【０００５】
しかしながら、特許文献１の構成では、ころ内端面と案内輪側面の面圧を抑制することはできるが、摩耗を完全に防止できないという問題があった。また、特許文献２の構成では軸受運転時に案内輪が移動した場合は、球面ころ端面が案内輪側面の外周エッジ（或いは内周エッジ）に接触した場合に摩耗を防止できないという問題があった。
本発明は上記事情に鑑みてなされたものであり、２体型の保持器５の中央部の内周面に凹部を設けることにより、案内輪６のサイズ拡大が可能となる。案内輪を半径方向に大きくすることで、ころ端面の接触点が案内輪側面内で接触（摺動）することになり、ころ端面と案内輪とのエッジ摩耗を防止することが出来る。また、保持器５に前記凹部を設け、案内輪６のサイズを拡大した場合、１体型の保持器では、案内輪６または保持器５を組み込むことは出来ないが、２体型の保持器５にすることにより、案内輪６と保持器５を組み込むことが可能となる。また、保持器を2体型とすることで、列間による公転すべり（左右の列で公転数が違う）を抑制することができるので、異常な発熱や摩耗低減が可能となる。本発明は、球面ころ端面の異常摩耗や発熱を低減する自動調心ころ軸受を提供することを目的とする。
【課題を解決するための手段】
【０００６】
上記課題を解決するために本発明の自動調心ころ軸受は、外輪と内輪との間に2列の球面ころが２体型の保持器を介して周方向に転動可能に配置されており、2列の球面ころの間には案内輪を配置し、前記球面ころの端面を前記案内輪の側面で案内しており、前記保持器の軸方向中央部の内周面に凹部を設け、前記凹部内に前記案内輪の外周部を入れたことを特徴とする。また、前記保持器は、２体型であることが好ましい。
【発明の効果】
【０００７】
本発明の自動調心ころ軸受は、２体型の保持器５の中央部の内周面に凹部を設けることにより、案内輪６のサイズ拡大が可能となる。案内輪を半径方向に大きくすることで、ころ端面の接触点が案内輪側面内で接触（摺動）することになり、ころ端面と案内輪とのエッジ摩耗を防止することが出来る。また、保持器を2体型とすることで、列間による公転すべり（左右の列で公転数が違う）を抑制することができるので、異常な発熱や摩耗低減が可能となる自動調心ころ軸受を提供できる。
【図面の簡単な説明】
【０００８】
【図１】本発明に係る自動調心ころ軸受の断面図である。
【図２】本発明に係る自動調心ころ軸受の保持器の拡大図である。
【図３】本発明に係る自動調心ころ軸受の球面ころと案内輪の接触点を表す図である。
【図４】従来の自動調心ころ軸受の断面図である。
【図５】従来の自動調心ころ軸受の球面ころと案内輪接触点を表す図である。
【発明を実施するための形態】
【０００９】
以下、本発明に係る自動調心ころ軸受１について、図１〜３により説明する。
【００１０】
本発明に係る自動調心ころ軸受１は、外輪３と内輪２との間に2列の球面ころ４が２体型の保持器５を介して周方向に転動可能に配置されており、2列の前記球面ころ４の間には前記案内輪６を配置し、球面ころ端面４ａを前記案内輪の側面６ａで案内しており、前記保持器の軸方向中央部の前記案内輪６と接触する内周面に凹部５ａを設け、前記凹部５ａ内に前記案内輪６の外周部６ｂを入れている。このような構造にすることにより、案内輪６のサイズ拡大が可能となる。案内輪６を半径方向に大きくすることで、図３に示したように、案内輪と球面ころの接触点Ｅが案内輪のエッジ６ｃと一致し難くなる。その結果、球面ころ端面４ａが案内輪側面内で接触（摺動）し、球面ころ端面４ａと案内輪６のエッジ６ｃとの摩耗を防止することが出来る。
【００１１】
また、前記保持器４が軸方向の中央の分割部５ｂで分割されている２体型構造であり、前記分割部５ｂで摺動可能である。前記保持器４が２体型構造であり、左右の列で公転数が違っても、２体の保持器が別々に回転することが出来るので、列間による公転すべりを抑制することができ、異常な発熱や摩耗低減が可能となる自動調心ころ軸受を提供できる。また、保持器５に前記凹部を設け、案内輪６のサイズを拡大した場合、１体型の保持器では、案内輪６または保持器５を組み込むことは出来ないが、２体型の保持器５にすることにより、案内輪６と保持器５を組み込むことが可能となる。
尚、本実施形態は本発明の一例を示したものであって、本発明は本実施形態に限定されるものではない。
【符号の説明】
【００１２】
１          自動調心ころ軸受
２          外輪
３          内輪
４          球面ころ
４ａ        球面ころ端面
４ｂ        球面ころ端面のニゲ
５          保持器
５ａ        保持器凹部
５ｂ        分割部
６          案内輪
６ａ        案内輪の側面
６ｂ        案内輪の外周部
６ｃ        案内輪のエッジ
Ｅ          案内輪と球面ころの接触点
【図１】
2015048877.tif 000003
【図２】
2015048877.tif 000004
【図３】
2015048877.tif 000005
【図４】
2015048877.tif 000006
【図５】
2015048877.tif 000007